(57)【要約】【課題】認証媒体が紛失した場合でも、セキュリティを保ちながら手間をかけることなく、他の認証媒体の継続的な使用を確保することができる入退室管理システムの提供。【解決手段】紛失した非接触キー６ｂが与えられたグループ６に属する全ての非接触キー６ａ〜６ｃを一括に無効にし、自動ドア制御装置３に対して非接触キー６ａ〜６ｃによるエントランスホール１の出入口の開放を不可能とさせる入退室管理システムにおいて、非接触キー６ａ〜６ｃ，・・・，７ａ〜７ｃに予めパスワードが付され、このパスワードを入力するテンキー５と、無効にされた非接触キー６ａの識別データがリーダ４から読み込まれ、テンキー５で非接触キー６ａのパスワードが入力されたとき、このパスワードが正しいかどうかを判定するパスワード判別装置３ｃと、パスワード判別装置３ｃで正しいと判定されたとき、非接触キー６ａを無効から有効にする認証媒体有効装置とを備えた。【選択図】図１
2014051790.tif 000002
【特許請求の範囲】
【請求項１】
前記建物に配設される警戒エリアの出入口と、前記建物に居住する各世帯がそれぞれグループとして管理されると共に、前記グループ毎に複数個与えられ、それぞれ識別コードが記憶された複数の認証媒体と、前記建物に設けられ、前記認証媒体の識別コードを読み取る読取装置と、前記認証媒体の識別コードを前記グループ毎に分類して記憶する記憶部と、前記読取装置で読み込んだ前記認証媒体の識別コードが前記記憶部に格納されているとき、前記出入口の開放を可能とする出入口制御装置とを備え、前記認証媒体が紛失したとき、前記複数の認証媒体のうち紛失した認証媒体が与えられた前記グループに属する全ての認証媒体を一括に無効にし、前記出入口制御装置に対してこれらの認証媒体による前記出入口の開放を不可能とさせる入退室管理システムにおいて、
前記認証媒体に予めパスワードが付され、このパスワードを入力するパスワード入力装置と、
無効にされた当該グループの前記認証媒体の識別コードが前記読取装置から読み込まれ、前記パスワード入力装置によって当該認証媒体のパスワードが入力されたとき、このパスワードが正しいかどうかを判定するパスワード判別装置と、
このパスワード判別装置が正しいと判定したパスワードが付された前記認証媒体を無効から有効にする認証媒体有効装置とを備えたことを特徴とする入退室管理システム。
【請求項２】
請求項１に記載の入退室管理システムにおいて、
前記認証媒体に予め付されたパスワードは、前記パスワード判別装置に記憶されるとともに、前記認証媒体及び前記グループのいずれかを特定するようにしたことを特徴とする入退室管理システム。
【発明の詳細な説明】
【技術分野】
【０００１】
本発明は、建物の警戒エリアへの入退室の管理を行う入退室管理システムに関する。
【背景技術】
【０００２】
この種の入退室管理システムは、建物の警戒エリアへの入退室を行う鍵となる認証媒体として、例えば個体情報を持つ非接触キーを建物に居住する各世帯に複数個与え、各世帯の居住者の非接触キーを管理することで警戒エリアの入退室の適否を判断するようにしている。
【０００３】
ここで、居住者が非接触キーを紛失した場合には、セキュリティ上の理由からシステム管理者に紛失した非接触キーの特定が可能な識別コード等の情報を連絡し、連絡を受けたシステム管理者が該当する非接触キーの使用不可登録を行うのが一般的であるが、対象となる非接触キーは紛失しているので、無効に設定する非接触キーの特定が困難になっていた。
【０００４】
そこで、建物に居住する世帯毎のようにグループ毎に非接触キーを分類し、非接触キーが紛失したときにはグループ毎に非接触キーを無効に設定することで、セキュリティの維持と管理者の省力化を図る入退室管理システムが従来技術の１つとして提案されている（例えば、特許文献１参照）。
【先行技術文献】
【特許文献】
【０００５】
【特許文献１】特開２００５−３８２３６号公報
【発明の概要】
【発明が解決しようとする課題】
【０００６】
しかしながら、上述した特許文献１に開示された従来技術の入退室管理システムによって紛失した非接触キーのグループに属する非接触キーを全て無効にすると、現存する紛失していない他の非接触キーを再び有効にするには、非接触キーに付与された認識番号に基づき変更するので、現存する紛失していない非接触キー毎に認識番号を確認する必要があり、この認識番号の特定に時間がかかることが問題になっている。また、紛失した非接触キーのグループに属する非接触キーを全て新しいものに取り替える場合には、新しい非接触キーが配布されるまでの間、居住者に迷惑をかける虞がある。
【０００７】
本発明は、このような従来技術の実情からなされたもので、その目的は、認証媒体が紛失した場合でも、セキュリティを保ちながら手間をかけることなく、他の認証媒体の継続的な使用を確保することができる入退室管理システムを提供することにある。
【課題を解決するための手段】
【０００８】
上記の目的を達成するために、本発明の入退室管理システムは、前記建物に配設される警戒エリアの出入口と、前記建物に居住する各世帯がそれぞれグループとして管理されると共に、前記グループ毎に複数個与えられ、それぞれ識別コードが記憶された複数の認証媒体と、前記建物に設けられ、前記認証媒体の識別コードを読み取る読取装置と、前記認証媒体の識別コードを前記グループ毎に分類して記憶する記憶部と、前記読取装置で読み込んだ前記認証媒体の識別コードが前記記憶部に格納されているとき、前記出入口の開放を可能とする出入口制御装置とを備え、前記認証媒体が紛失したとき、前記複数の認証媒体のうち紛失した認証媒体が与えられた前記グループに属する全ての認証媒体を一括に無効にし、前記出入口制御装置に対してこれらの認証媒体による前記出入口の開放を不可能とさせる入退室管理システムにおいて、前記認証媒体に予めパスワードが付され、このパスワードを入力するパスワード入力装置と、無効にされた当該グループの前記認証媒体の識別コードが前記読取装置から読み込まれ、前記パスワード入力装置によって当該認証媒体のパスワードが入力されたとき、このパスワードが正しいかどうかを判定するパスワード判別装置と、このパスワード判別装置が正しいと判定したパスワードが付された前記認証媒体を無効から有効にする認証媒体有効装置とを備えたことを特徴としている。
【発明の効果】
【０００９】
本発明の入退室管理システムによれば、認証媒体が紛失した場合でも、セキュリティを保ちながら手間をかけることなく、他の認証媒体の継続的な使用を確保することができる。前述した以外の課題、構成及び効果は、以下の実施形態の説明により明らかにされる。
【図面の簡単な説明】
【００１０】
【図１】本発明に係る入退室管理システムの一実施形態の構成を示す図である。
【図２】図１に示す記憶部の有効無効識別テーブルのうち通常状態、グループ一括失効状態、及び失効解除状態のものを説明する図である。
【図３】本実施形態の動作を説明するフローチャートである。
【発明を実施するための形態】
【００１１】
以下、本発明に係る入退室管理システムを実施するための形態を図に基づいて説明する。
【００１２】
本発明に係る入退室管理システムの一実施形態は、建物として例えばセキュリティが必要とされる警戒エリアを有する集合住宅に適用される。本実施形態は、図１に示すようにこの集合住宅の警戒エリアとして、例えばエントランスホール１への入退室を特定の者に制限する出入口制御装置を備えている。
【００１３】
この出入口制御装置は、例えばエントランスホール１の出入口に設けられた自動ドア１Ａと、この自動ドア１Ａを駆動する自動ドア駆動装置２と、この自動ドア駆動装置２へ制御信号を出力して自動ドア１Ａの動作を制御する自動ドア制御装置３とを有している。これらの自動ドア駆動装置２及び自動ドア制御装置３は、例えばエントランスホール１内に設けられている。また、エントランスホール１と別の場所には、通信回線である広域ネットワーク網８を介して遠隔的に接続され、自動ドア制御装置３と種々のデータを送受信するデータセンター９が設けられている。
【００１４】
本実施形態は、集合住宅に不審者の入場を阻止する防犯の観点から、集合住宅に居住する各世帯Ａ〜Ｎがそれぞれグループ６〜７として管理されると共に、グループ６〜７毎に複数個与えられ、それぞれ識別コードが記憶された複数の認証媒体を備えており、これらの複数の認証媒体は、例えば非接触キー６ａ〜６ｃ，・・・，７ａ〜７ｃから成っている。なお、非接触キー６ａ〜６ｃ，・・・，７ａ〜７ｃの識別コードは、例えばそれぞれ異なる番号が割り当てられた識別データから成っている。
【００１５】
また、本実施形態は、集合住宅に設けられ、非接触キー６ａ〜６ｃ，・・・，７ａ〜７ｃの識別データを読み取る読取装置、すなわちリーダ４を備え、このリーダ４は、例えば非接触キー６ａ〜６ｃ，・・・，７ａ〜７ｃの識別データを読み取るとともに、自動ドア１Ａの開放の可否を表示する読取り・表示部４ａと、自動ドア制御装置３へ信号を出力する通信回路４ｂとから構成されている。なお、リーダ４は、例えばエントランスホール１の出入口の近傍に配置されている。
【００１６】
データセンター９は、広域ネットワーク網８に接続され、情報の通信を行う回線制御回路９Ｃと、この回線制御回路９Ｃに接続され、機器の制御を少なくとも行う管理サーバ９Ａと、この管理サーバ９Ａに接続され、種々の情報を格納する記憶部９Ｂとを少なくとも有している。この記憶部９Ｂは、非接触キー６ａ〜６ｃ，・・・，７ａ〜７ｃの識別データをグループ６〜７毎に分類して記憶するようになっている。なお、データセンター９は、例えば管理サーバ９Ａに接続され、機器に対して各種の入力を行う入力装置（図示せず）を有している。
【００１７】
また、管理サーバ９Ａは、非接触キー６ａ〜６ｃ，・・・，７ａ〜７ｃのいずれかが紛失したとき、入力装置の入力を受けて複数の非接触キー６ａ〜６ｃ，・・・，７ａ〜７ｃのうち紛失した非接触キーが与えられたグループに属する全ての非接触キーを一括に無効にし（以下、便宜的に無効処理と呼ぶ）、自動ドア制御装置３に対してこれらの非接触キーによるエントランスホール１の出入口の開放を不可能とさせる開放不可能信号を送信するようにしている。
【００１８】
一方、自動ドア制御装置３は、例えば後述する内部の装置や回路の動作処理を行うＣＰＵ３ａと、このＣＰＵ３ａ及び自動ドア駆動装置２に接続され、この自動ドア駆動装置２へ制御信号を出力する自動ドア駆動回路３ｂと、リーダ４の通信回路４ｂ及び後述のテンキー５の通信回路５ｂに接続され、リーダ４及びテンキー５と情報の通信を行う通信回路３ｄと、広域ネットワーク８及びＣＰＵ３ａに接続され、データセンター９と情報の通信を行う回線制御回路３ｅとから少なくとも構成されている。
【００１９】
自動ドア制御装置３のＣＰＵ３ａは、例えばリーダ４で読み込んだ非接触キー６ａ〜６ｃ，・・・，７ａ〜７ｃの識別コードが記憶部９Ｂに格納されているとき、エントランスホール１の出入口の開放を可能とする処理（以下、便宜的に開放可能処理と呼ぶ）を行うようにしている。また、ＣＰＵ３ａは、例えばデータセンター９の管理サーバ９Ａから開放不可能信号を受信すると、無効になった認証媒体によるエントランスホール１の出入口の開放を不可能とする処理（以下、便宜的に開放不可能処理と呼ぶ）を行うようにしている。
【００２０】
本実施形態は、非接触キー６ａ〜６ｃ，・・・，７ａ〜７ｃに予めパスワードが付され、このパスワードを入力するパスワード入力装置を備えており、このパスワード入力装置は、例えば複数の数字や記号が配列された前述のテンキー５から成っている。このテンキー５は、例えば数字を配列表示するとともに、指で接触した表示箇所の数字を取込むパスワード入力・表示部５ａと、自動ドア制御装置３へ信号を出力する通信回路５ｂとから構成されている。なお、テンキー５は、例えばリーダ４の近傍に配置されている。
【００２１】
本実施形態は、自動ドア制御装置３は、無効にされたグループの非接触キーの識別コードがリーダ４から読み込まれ、テンキー５のパスワード入力・表示部５ａによって当該非接触キーのパスワードが入力されたとき、このパスワードが正しいかどうかを判定するパスワード判別装置３ｃを備えている。このパスワード判別装置３ｃは、例えばグループ６〜７毎、あるいは非接触キー６ａ〜６ｃ，・・・，７ａ〜７ｃ毎に非接触キー６ａ〜６ｃ，・・・，７ａ〜７ｃに予め付されたパスワードを内部に記憶している。
【００２２】
具体的には、パスワード判別装置３ｃは、例えばテンキー５のパスワード入力・表示部５ａによって入力されたパスワードと、内部に記憶している非接触キー６ａ〜６ｃ，・・・，７ａ〜７ｃのパスワードとを比較し、互いに一致するものがあれば、入力されたパスワードが正しいと判定し、互いに一致するものがなければ、入力されたパスワードが正しくないと判定するようになっている。
【００２３】
このようなパスワード判別装置３ｃによる判定は、例えばテンキー５のパスワード入力・表示部５ａにパスワードを入力する旨の表示が現れてから所定の時間内に、テンキー５のパスワード入力・表示部５ａによってパスワードが入力されたときに行われるようになっている。そして、自動ドア制御装置３は、パスワード判別装置３ｃが正しいと判定したパスワードが付された非接触キーを無効から有効にする認証媒体有効装置を有している。本実施形態では、この認証媒体有効装置がＣＰＵ３ａ内に組み込まれている。
【００２４】
ここで、データセンター９の記憶部９Ｂは、世帯Ａ〜Ｎであるグループ６〜７に属する非接触キー６ａ〜６ｃ，・・・７ａ〜７ｃが有効又は無効であるかを示す有効無効識別テーブル９Ｂａを少なくとも有している。本実施形態では、上述した無効処理、開放可能処理、開放不可能処理、及びＣＰＵ３ａによって行われる非接触キーを無効から有効にする処理は、記憶部９Ｂの有効無効識別テーブル９Ｂａを参照及び更新して行われる。
【００２５】
有効無効識別テーブル９Ｂａは、例えば図２に示すように縦列として、世帯Ａ〜Ｎであるグループ６〜７を上から順に示すグループ列１０ａと、このグループ列１０ａに示されたグループ６〜７に対応して非接触キー６ａ〜６ｃ，・・・，７ａ〜７ｃの認識番号を上から順に示す認識番号列１０ｂと、この認識番号列１０ｂに示された非接触キー６ａ〜６ｃ，・・・，７ａ〜７ｃに対応して集合住宅の警戒エリアであるエントランスホール１及び集会所（図示せず）に対する入室の可否を示す許可列１０ｃと、非接触キー６ａ〜６ｃ，・・・，７ａ〜７ｃの使用の可否、すなわち非接触キー６ａ〜６ｃ，・・・，７ａ〜７ｃの失効が無しになっているか（非接触キー６ａ〜６ｃ，・・・，７ａ〜７ｃが有効である）、又は非接触キー６ａ〜６ｃ，・・・，７ａ〜７ｃの失効が有りになっているか（非接触キー６ａ〜６ｃ，・・・，７ａ〜７ｃが無効である）を示す失効有無列１０ｄとを有している。
【００２６】
従って、有効無効識別テーブル９Ｂａでは、非接触キー６ａ〜６ｃ，・・・，７ａ〜７ｃに対する警戒エリアであるエントランスホール１や集会所への入室の可否が許可列１０ｃに基づいて判定され、非接触キー６ａ〜６ｃ，・・・，７ａ〜７ｃに対する使用の可否が失効有無列１０ｄに基づいて判定される。
【００２７】
次に、本実施形態の動作を図３のフローチャートに基づいて詳細に説明する。
【００２８】
図３は本実施形態の動作を説明するフローチャートである。
【００２９】
まず、非接触キー６ａ〜６ｃ，・・・，７ａ〜７ｃが紛失していないときの通常状態の説明を行う。例えば、グループ６に分類された世帯Ａの住人（図示せず）が非接触キー６ａをリーダ４の読取り・表示部４ａに翳すと（ステップ（以下、Ｓと記す）１）、読取り・表示部４ａは、非接触キー６ａの識別データを読取り（Ｓ２）、通信回路４ｂを介して自動ドア制御装置３の通信回路３ｄへ送信する。
【００３０】
次に、非接触キー６ａの識別データを取得したＣＰＵ３ａは、回線制御回路３ｅを起動し、広域ネットワーク網８を介してデータセンター９の回線制御回路９Ｃへ非接触キー６ａの識別データ、及びエントランスホール１への入室に関する情報を送信する（Ｓ３）。そして、管理サーバ９Ａは、回線制御回路９Ｃから非接触キー６ａの識別データ、及びエントランスホール１への入室に関する情報を取得し、記憶部９Ｂの有効無効識別テーブル９Ｂａのうち通常状態のもの（図２上段参照）を参照して照合を行う（Ｓ４）。
【００３１】
このとき、有効無効識別テーブル９Ｂａのうち通常状態のものでは、世帯Ａが属するグループ６の認識番号列１０ｂの非接触キー６ａに対し、許可列１０ｃに関してエントランスホール１と集会所（図示せず）が許可されているので、管理サーバ９Ａは、非接触キー６ａに関してエントランスホール１の出入口を開放可能と判断する。
【００３２】
また、有効無効識別テーブル９Ｂａのうち通常状態のものでは、失効有無列１０ｄも無である（非接触キー６ａが有効）ので（Ｓ５）、管理サーバ９Ａは、エントランスホール１の出入口の開放可能信号を回線制御回路９Ｃ及び広域ネットワーク網８を介して自動ドア制御装置３の回線制御回路３ｅへ返信する。そして、回線制御回路３ｅから開放可能信号を受信したＣＰＵ３ａは、自動ドア駆動回路３ｂを起動し、自動ドア駆動装置２を作動して自動ドア１Ａを開かせ、エントランスホール１の出入口を開放する（Ｓ６）。
【００３３】
一方、手順Ｓ４において仮に非接触キー６ａに対する許可列１０ｃのエントランスホール１が許可されていなければ、管理サーバ９Ａは、エントランスホール１の出入口の開放不可能信号を回線制御回路９Ｃ及び広域ネットワーク網８を介して自動ドア制御装置３の回線制御回路３ｅへ返信する（Ｓ７）。そして、回線制御回路３ｅから開放不可能信号を受信したＣＰＵ３ａは、通信回路３ｄを介して開放不可能信号をリーダ４の通信回路４ｂへ送信すると、読取り・表示部４ａは、自動ドア１Ａが開かない旨の表示やブザー等によって非接触キー６ａが利用不可であることを報知する（Ｓ８）。
【００３４】
次に、非接触キー６ａ〜６ｃ，・・・，７ａ〜７ｃのうちいずれかが紛失し、紛失した非接触キーが属するグループの全ての非接触キーが無効になったときのグループ一括失効状態の説明を行う。例えば、グループ６に分類された世帯Ａの住人（図示せず）が非接触キー６ａ〜６ｃ，・・・，７ａ〜７ｃのうち非接触キー６ｂを紛失した場合には、この住人は非接触キー６ｂを紛失した旨を集合住宅の管理人（図示せず）へ知らせると、集合住宅の管理人は非接触キー６ｂを紛失した旨をデータセンター９へ連絡する。
【００３５】
次に、非接触キー６ｂを紛失した旨を受けたデータセンター９の担当者（図示せず）は、データセンター９の管理サーバ９Ａに接続される入力装置を介して、記憶部９Ｂの有効無効識別テーブル９Ｂａに対し、グループ６の非接触キー６ａ〜６ｃの失効有無列１０ｄを無（非接触キー６ａ〜６ｃが有効である）から有（非接触キー６ａ〜６ｃが無効である）に書き換え、有効無効識別テーブル９Ｂａのうちグループ一括失効状態のもの（図２中段参照）を参照して照合を行う。
【００３６】
ここで、非接触キー６ａがリーダ４の読取り・表示部４に翳された場合の説明を行うが、手順Ｓ１〜Ｓ４までは前述した通常状態の説明と同様であるので、重複する説明を省略している。
【００３７】
手順Ｓ５において、非接触キー６ａは有効無効識別テーブル９Ｂａの失効有無列１０ｄが有（非接触キー６ａが無効である）であるので、管理サーバ９Ａは、回線制御回路９Ｃ及び広域ネットワーク網８を介して自動ドア制御装置３の回線制御回路３ｅへ非接触キー６ａの失効有の情報を送信する。非接触キー６ａの失効有の情報を受信したＣＰＵ３ａは、通信回路３ｄを介してリーダ４の通信回路４ｂ及びテンキー５の通信回路５ｂへ「パスワード入力してください」という旨の表示情報を送信し、読取り・表示部４及びパスワード入力・表示部５ａへ「パスワード入力してください」の表示を指令する（Ｓ９）。
【００３８】
次に、ＣＰＵ３ａは、表示情報を送信してからの経過時間を計測し（Ｓ１０）、所定の時間として例えば１０秒経過すると、非接触キー６ａに予め定めたパスワードの入力時間超過として手順Ｓ７へ移行する。なお、パスワードは、テンキー５のパスワード入力・表示部５ａによって行われ、通信回路５ｂを介して自動ドア制御装置３へ送信される。
【００３９】
一方、手順Ｓ１０においてＣＰＵ３ａは、１０秒経過前に非接触キー６ａに予め定めたパスワードの入力完了に関し、パスワードに定められた桁数やパスワードの終了に記す「♯」等の記号にて完了を認識すると（Ｓ１１）、パスワードを取り込み（Ｓ１２）、パスワードをパスワード判別装置３ｃへ送信する。
【００４０】
そして、パスワード判別装置３ｃは、テンキー５のパスワード入力・表示部５ａによって入力されたパスワードを、予め記憶された非接触キー６ａのパスワードと比較し（Ｓ１３）、互いに一致していなければ手順Ｓ７へ移行し、互いに一致していればパスワードが一致した旨の一致信号をＣＰＵ３ａへ出力する。
【００４１】
ＣＰＵ３ａは、受信した非接触キー６ａのパスワードの一致信号を、回線制御回路３ｅ及び広域ネットワーク網８を介してデータセンター９の回線制御回路９Ｃへ出力し、管理サーバ９Ａは、非接触キー６ａのパスワードの一致信号を受信すると、記憶部９Ｂの有効無効識別テーブル９Ｂａに対し、グループ６の非接触キー６ａの失効有無列１０ｄを有（非接触キー６ａが無効である）から無（非接触キー６ａが有効である）に書き換え（Ｓ１４）、記憶部９Ｂの有効無効識別テーブル９Ｂａのうち失効解除状態（図２下段参照）を参照して照合を行う。
【００４２】
そして、管理サーバ９Ａは、エントランスホール１の出入口の開放可能信号を回線制御回路９Ｃ及び広域ネットワーク網８を介して自動ドア制御装置３の回線制御回路３ｅへ返信し、手順Ｓ６へ移行して自動ドア１Ａを開かせ、エントランスホール１の出入口を開放する。
【００４３】
このように構成した本実施形態によれば、グループ６に分類された世帯Ａの住人が非接触キー６ｂを紛失した場合、非接触キー６ａ〜６ｃに対して、記憶部９Ｂの有効無効識別テーブル９Ｂａの失効有無列１０ｄが有（非接触キー６ａ〜６ｃが無効である）とされるが、無効になった非接触キー６ａ〜６ｃのうち紛失していない非接触キー６ａがリーダ４の読取り・表示部４ａに翳されても、所定の時間内にグループ６あるいは非接触キー６ａを特定するパスワードがパスワード入力・表示部５ａへ入力されれば、非接触キー６ａの有効無効識別テーブル９Ｂａの失効有無列１０ｄを無（非接触キー６ａが有効である）とするようにしたので、非接触キー６ａの読取りとパスワードの入力で自動ドア１Ａを開かせてエントランスホール１の出入口を開放させることができる。従って、非接触キー６ａ〜６ｃ，・・・，７ａ〜７ｃのうち紛失していない非接触キーの利用者に対して不便をかけずに済む。
【００４４】
また、紛失した非接触キー６ｂの特定が手間をかけることなく容易となり、管理を簡便に行えるとともに、紛失した非接触キー６ｂのグループ６に属する非接触キー６ａ〜６ｃを全て取り替えるのではなく、紛失した非接触キー６ｂの分を補充するだけで良い。このように、非接触キー６ａ〜６ｃ，・・・，７ａ〜７ｃのうちいずれかが紛失した場合でも、セキュリティを保ちながら手間をかけることなく、非接触キー６ａ〜６ｃ，・・・，７ａ〜７ｃのうち紛失していない非接触キーの継続的な使用を確保することができる。
【００４５】
また、本実施形態は、パスワード判別装置３ｃは、グループ６〜７毎、あるいは非接触キー６ａ〜６ｃ，・・・，７ａ〜７ｃ毎に非接触キー６ａ〜６ｃ，・・・，７ａ〜７ｃに予め付されたパスワードを内部に記憶しているので、テンキー５のパスワード入力・表示部５ａによってパスワードが入力されることでグループ６〜７あるいは非接触キー６ａ〜６ｃ，・・・，７ａ〜７ｃを容易に特定することができ、入力されたパスワードが正しいかどうかの判定を迅速に行うことができる。
【００４６】
特に、パスワード判別装置３ｃによる判定は、手順Ｓ９、１０においてテンキー５のパスワード入力・表示部５ａにパスワードを入力する旨の表示がされてから所定の時間内に、パスワード入力・表示部５ａによって紛失した非接触キー６ｂのパスワードが入力されたときに限り行われるので、自動ドア制御装置３の処理動作を効率良く行うことができる。
【００４７】
なお、上述した本実施形態は、本発明を分かり易く説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。
【００４８】
また、本実施形態は、パスワード判別装置３ｃを自動ドア制御装置３に設けている場合について説明したが、この場合に限らず、パスワード判別装置３ｃをデータセンター９等に設けても良い。さらに、本実施形態は、認証媒体有効装置を自動ドア制御装置３のＣＰＵ３ａに組み込んだ場合について説明したが、この場合に限らず、認証媒体有効装置をデータセンター９の管理サーバ９Ａ等に設けても良い。
【００４９】
また、本実施形態は、有効無効識別テーブル９Ｂａをデータセンター９の記憶部９Ｂに設けた場合について説明したが、この場合に限らず、有効無効識別テーブル９Ｂａを自動ドア制御装置３に設けても同様の効果が得られる。
【符号の説明】
【００５０】
１  エントランスホール
１Ａ  自動ドア
２  自動ドア駆動装置
３  自動ドア制御装置
３ａ  ＣＰＵ
３ｂ  自動ドア駆動回路
３ｃ  パスワード判別装置
３ｄ，４ｂ，５ｂ  通信回路
３ｅ  回線制御回路
４  リーダ（読取装置）
４ａ  読取り・表示部
５  テンキー（パスワード入力装置）
５ａ  パスワード入力・表示部
６〜７  グループ
６ａ〜６ｃ，・・・，７ａ〜７ｃ  非接触キー（認証媒体）
８  広域ネットワーク網
９  データセンター
９Ａ  管理サーバ
９Ｂ  記憶部
９Ｂａ  有効無効識別テーブル
９Ｃ  回線制御回路
【図１】
2014051790.tif 000003
【図２】
2014051790.tif 000004
【図３】
2014051790.tif 000005